(57)【要約】  本太陽電池モジュールは、平面形状が矩形状の太陽電池パネルと、太陽電池パネルの受光面側の外周部から側端面を経由して裏面側の外周部までを覆うように、太陽電池パネルに接着された絶縁材と、絶縁材が接着された太陽電池パネルの周囲を保護する枠部材と、を有し、太陽電池パネルの互いに対向する第１の辺と第２の辺のうちの少なくとも第１の辺側において、太陽電池パネルの受光面及び側端面に接着された絶縁材と枠部材とが離間可能である。
2016043137.tif 000002
【特許請求の範囲】
【請求項１】
平面形状が矩形状の太陽電池パネルと、
前記太陽電池パネルの受光面側の外周部から側端面を経由して裏面側の外周部までを覆うように、前記太陽電池パネルに接着された絶縁材と、
前記絶縁材が接着された前記太陽電池パネルの周囲を保護する枠部材と、を有し、
前記太陽電池パネルの互いに対向する第１の辺と第２の辺のうちの少なくとも前記第１の辺側において、前記太陽電池パネルの受光面及び側端面に接着された前記絶縁材と前記枠部材とが離間可能である、太陽電池モジュール。
【請求項２】
前記枠部材は、前記太陽電池パネルの裏面側を支持する裏面フランジを備え、
前記絶縁材と前記枠部材とが離間可能な前記第１の辺側において、前記裏面フランジと前記太陽電池パネルの裏面とが接着されている、請求項１に記載の太陽電池モジュール。
【請求項３】
前記絶縁材と前記枠部材とが離間可能な前記第１の辺側において、前記太陽電池パネルの裏面に接着された前記絶縁材と前記枠部材とが離間可能である、請求項１又は２に記載の太陽電池モジュール。
【請求項４】
前記太陽電池パネルは、太陽電池素子と、前記太陽電池素子の受光面側を保護する表面保護材と、前記太陽電池素子の裏面側を保護する裏面保護材と、を有し、
前記絶縁材は、前記表面保護材の受光面側の外周部から前記裏面保護材の裏面側の外周部までを覆うように、前記太陽電池パネルに接着され、
前記裏面保護材はガラス基板である、請求項１から３の何れか１項に記載の太陽電池モジュール。
【請求項５】
前記裏面保護材の裏面には、ポリエチレンテレフタレート樹脂からなる保護シートが設けられている、請求項４に記載の太陽電池モジュール。
【請求項６】
前記枠部材は、前記太陽電池パネルの裏面側を支持する裏面フランジを備え、
前記絶縁材と前記枠部材とが離間可能な前記第１の辺側に対向する前記第２の辺側において、前記太陽電池パネルの受光面及び側端面に接着された前記絶縁材と前記枠部材とが離間可能であり、
該第２の辺側において、前記裏面フランジと前記太陽電池パネルの裏面とが接着されている、請求項１から５の何れか１項に記載の太陽電池モジュール。
【請求項７】
前記絶縁材と前記枠部材とが離間可能な前記第１の辺側に対向する前記第２の辺側において、前記絶縁材と前記枠部材とが接着されている、請求項１から５の何れか１項に記載の太陽電池モジュール。
【発明の詳細な説明】
【技術分野】
【０００１】
本発明は、太陽電池モジュールに関する。
【背景技術】
【０００２】
太陽電池モジュールは、一般に、太陽電池素子が形成された太陽電池パネルと、この太陽電池パネルの周端部を囲うフレーム（金属フレーム等）とよばれる枠材とで構成される。太陽電池パネルは、基板上に形成された太陽電池素子が封止材（例えば、ＥＶＡやＰＶＢ等）によって接着された保護部材（例えば、カバーガラスやＰＥＴ等を使用した保護シート）によって覆われている。【０００３】
ここで、太陽電池パネルにおいては、安全性の観点から、太陽電池素子で起電した電力によって使用者が感電することがないように、太陽電池素子から太陽電池パネルの端部までの間に、絶縁部材で覆われた部分を一定距離（沿面距離と呼ばれる）設ける必要がある。【０００４】
この沿面距離について図１を参照して説明する。なお、図１はサブストレート型の薄膜太陽電池パネルの端部を拡大した断面図である。図１に示す太陽電池パネル２００では、基板２１０上に太陽電池素子２２０が形成され、基板２１０の太陽電池素子２２０が形成された面側に表面保護材２３０が封止材２４０によって接着されている。【０００５】
沿面距離は、使用者が触れることが可能な箇所（又は、外周フレーム）から太陽電池素子２２０（導電部）までの距離となり、図１では点線Ｌで示す距離が沿面距離となる。沿面距離は、要求仕様により異なるが、例えば、数１０ｍｍ程度である。【０００６】
ここで、安全性を高めるために沿面距離を大きくすればするほど、太陽電池パネル２００の大きさに対して太陽電池素子２２０の面積（発電面積）は小さくなる。その結果、太陽電池パネル２００を備えた太陽電池モジュール（図示せず）において単位面積あたりの発電効率が低下する。【０００７】
この問題を解決する方法として、図２に示すように、太陽電池パネル２００に絶縁材６００（例えば、絶縁テープ等）を受光面、端面及び裏面を覆うように接着することにより、沿面距離を確保することができる。【０００８】
図２を参照して具体的に説明すると、絶縁材６００によって太陽電池パネル２００の端部を覆うことにより、受光面側では、絶縁材６００と表面保護材２３０とが接着している距離も沿面距離（受光面側）と見做し、裏面側では、絶縁材６００と基板２１０が接着している距離を沿面距離（裏面側）と見做すことが可能である。【０００９】
図３に示すように、絶縁材６００を周端部に接着した太陽電池パネル２００に、フレーム４００が取り付けられて太陽電池モジュールが形成されている。フレーム４００には、上フランジ４１０と裏面フランジ４２０と側壁部４３０とにより、嵌合溝４００ｘが形成されている。太陽電池パネル２００をフレーム４００の嵌合溝４００ｘに取り付ける際、フレーム４００から太陽電池パネル２００が外れないように、嵌合溝４００ｘにシリコーン樹脂やブチルゴム等の接着剤７００を充填し、フレーム４００と太陽電池パネル２００とを接着して取り付けることが必要である（例えば、特許文献１参照）。【００１０】
或いは、図３のように接着剤７００を充填する代わりに、絶縁材６００として両面に粘着剤を塗工した粘着テープ等を用いてもよい。この場合は、フレーム４００と太陽電池パネル２００とが絶縁材６００を介して接着される（例えば、特許文献２参照）。
【先行技術文献】
【特許文献】
【００１１】
【特許文献１】特開２０１２−２５３０６３号公報
【特許文献２】特開２０１２−１７０７号公報
【発明の概要】
【発明が解決しようとする課題】
【００１２】
しかしながら、絶縁材６００を周端部に接着した太陽電池パネル２００に、フレーム４００を接着して取り付けると、新たな問題が生じる。【００１３】
太陽電池パネル２００の周端部に絶縁材６００を接着して沿面距離を確保する場合には、絶縁材６００が太陽電池パネル２００から剥離してはならない。ここで、フレーム４００の嵌合溝４００ｘに接着剤７００を配して太陽電池パネル２００を接着すると、太陽電池パネル２００は絶縁材６００を介してフレーム４００に接着される。【００１４】
太陽電池モジュールは、設置後に積雪や風圧等によって荷重がかかると、太陽電池パネル２００が撓み、フレーム４００から離脱する方向に移動する場合がある。図４を参照して説明すると、太陽電池パネル２００が荷重Ｆによって撓むと、太陽電池パネル２００の端部はフレーム４００から離間する方向に変位する。【００１５】
このとき、絶縁材６００がフレーム４００に接着していると、絶縁材６００はフレーム４００に追従して、太陽電池パネル２００から絶縁材６００が剥離し、結果、沿面距離が十分に確保できないという問題が生じる。【００１６】
特に、荷重Ｆによって太陽電池パネル２００に撓みが生じた場合は、フレーム４００の裏面フランジ４２０が支点となって、太陽電池パネル２００が移動する。そのため、太陽電池パネル２００の受光面及び側端面と絶縁材６００との位置ズレ及び剥離が大きくなり、この箇所での沿面距離の確保が顕著に困難となる。【００１７】
本発明は、上記の点に鑑みてなされたものであり、沿面距離を確保するための絶縁材と太陽電池パネルとの剥離が抑制された太陽電池モジュールを提供することを課題とする。
【課題を解決するための手段】
【００１８】
本太陽電池モジュールは、平面形状が矩形状の太陽電池パネルと、太陽電池パネルの受光面側の外周部から側端面を経由して裏面側の外周部までを覆うように、太陽電池パネルに接着された絶縁材と、絶縁材が接着された太陽電池パネルの周囲を保護する枠部材と、を有し、太陽電池パネルの互いに対向する第１の辺と第２の辺のうちの少なくとも第１の辺側において、太陽電池パネルの受光面及び側端面に接着された絶縁材と枠部材とが離間可能であることを要件とする。
【発明の効果】
【００１９】
開示の技術によれば、沿面距離を確保するための絶縁材と太陽電池パネルとの剥離が抑制された太陽電池モジュールを提供できる。
【図面の簡単な説明】
【００２０】
【図１】従来の太陽電池パネルを例示する断面図（その１）である。
【図２】従来の太陽電池パネルを例示する断面図（その２）である。
【図３】従来の太陽電池モジュールを例示する断面図である。
【図４】従来の太陽電池モジュールの問題点を説明する断面図である。
【図５】第１の実施の形態に係る太陽電池モジュールを例示する平面図である。
【図６】図５のＡ−Ａ線に沿う部分拡大断面図である。
【図７】第１の実施の形態の変形例に係る太陽電池モジュールを例示する部分拡大断面図である。
【発明を実施するための形態】
【００２１】
以下、図面を参照して発明を実施するための形態について説明する。なお、各図面において、同一構成部分には同一符号を付し、重複した説明を省略する場合がある。
【００２２】
〈第１の実施の形態〉
図５は、第１の実施の形態に係る太陽電池モジュールを例示する平面図である。図６は、図５のＡ−Ａ線に沿う部分拡大断面図である。
【００２３】
図５及び図６を参照するに、太陽電池モジュール１０は、太陽電池パネル２０と、フレーム３０とを有する。太陽電池モジュール１０は、サブストレート構造の薄膜太陽電池モジュールである。
【００２４】
太陽電池パネル２０は、基板２１と、太陽電池素子２２と、表面保護材２３と、封止材２４とを有する。太陽電池パネル２０の平面形状は、例えば、矩形状である。太陽電池パネル２０の平面形状は矩形状には限定されないが、以降では、太陽電池パネル２０の平面形状が矩形状である場合を例にして説明をする。なお、平面形状とは、太陽電池パネル２０の受光面の法線方向から対象物を視たときの形状を指すものとする。
【００２５】
太陽電池パネル２０において、基板２１は、例えば、厚さが１．０〜３．０ｍｍ程度のガラス基板、金属基板、樹脂基板等であり、基板２１上には太陽電池素子２２が形成されている。太陽電池素子２２は、例えば、電極層や発電層等の薄膜が複数層積層されたものである。
【００２６】
基板２１の太陽電池素子２２が形成されている面には、太陽電池素子２２の受光面側を保護する表面保護材２３が封止材２４によって接着されている。表面保護材２３としては、例えば、厚さが０．５〜４．０ｍｍ程度の白板強化ガラス板や透明樹脂板等を用いることができる。封止材２４の材料としては、例えば、ＥＶＡ（Ethylene-vinyl acetate）やＰＶＢ（Polyvinyl butyral）等を用いることができる。封止材２４の厚さは、例えば、０．２〜１．０ｍｍ程度である。なお、太陽電池パネル２０では、基板２１が、太陽電池素子２２の裏面側を保護する裏面保護材としても機能している。
【００２７】
フレーム３０は、太陽電池パネル２０の端部周囲を囲むように取り付けられている枠部材である。フレーム３０は、太陽電池パネル２０の強度を向上させると共に、太陽電池パネル２０の端部の受光面、側端面、及び裏面を覆って太陽電池パネル２０の周囲を保護する。
【００２８】
フレーム３０は、太陽電池パネル２０を囲む、対向配置された２つの長辺フレーム４０と、対向配置された２つの短辺フレーム５０とを備えている。長辺フレーム４０と短辺フレーム５０とは互いに隣接して接続され、フレーム３０が形成されている。平面形状が矩形状である太陽電池パネル２０の対向する１組の辺（長辺側の第１の辺２０１及び第２の辺２０２）を長辺フレーム４０が保護し、対向する他の１組の辺（短辺側の第１の辺２０３及び第２の辺２０４）を短辺フレーム５０が保護する。このとき、長辺フレーム４０と短辺フレーム５０とは直角に接続される。
【００２９】
長辺フレーム４０は、例えばアルミ鋼材や樹脂からなり、押し出し成形等によって断面が略同形状に成形された長尺部材である。長辺フレーム４０は、太陽電池パネル２０の受光面を支持する上フランジ４１と、太陽電池パネル２０の裏面を支持する裏面フランジ４２と、太陽電池パネル２０の側端面を保護する側壁部４３とを有する。
【００３０】
上フランジ４１と裏面フランジ４２とは側壁部４３から水平方向（太陽電池モジュール１０の内側方向）に突出し、上フランジ４１と裏面フランジ４２と側壁部４３とで太陽電池パネル２０が嵌め込まれる嵌合溝４０ｘが形成されている。又、側壁部４３の下端から底辺フランジ４４が水平方向に突出している。なお、図６の例では、底辺フランジ４４が太陽電池モジュール１０の内側に水平方向に延びているが、底辺フランジ４４は太陽電池モジュール１０の外側に水平方向に伸出してもよい。
【００３１】
太陽電池パネル２０の端部には、断面がコの字となるように絶縁材６０が接着されている。言い換えれば、絶縁材６０は、太陽電池パネル２０の受光面側（表面保護材２３の受光面側）の外周部から、太陽電池パネル２０の側端面を経由して、太陽電池パネル２０の裏面側（基板２１の裏面側）の外周部までを覆うように、太陽電池パネル２０に接着されている。絶縁材６０が接着された太陽電池パネル２０の端部は、長辺フレーム４０の嵌合溝４０ｘに嵌め込まれている。絶縁材６０としては、例えば、絶縁テープ等を用いることができる。
【００３２】
長辺フレーム４０の裏面フランジ４２は、基板２１が露出した部分（言い換えれば、絶縁材６０で被覆していない領域）にまで突出しており、裏面フランジ４２が太陽電池パネル２０の裏面に接着剤７０によって接着されている。これにより、長辺フレーム４０から太陽電池パネル２０が脱落することを抑制している。接着剤７０としては、例えば、ブチル系接着剤やシリコーン系接着剤等を用いることができる。なお、この接着剤７０による裏面フランジ４２と太陽電池パネル２０の裏面との接着は必須ではなく、必要に応じて適宜行えばよい。
【００３３】
ここで、絶縁材６０と長辺フレーム４０とは非接着であり、絶縁材６０と長辺フレーム４０とは離間可能である。この構造により、太陽電池パネル２０が積雪等の荷重によって撓んで太陽電池パネル２０が長辺フレーム４０から離間する方向にズレたとしても、長辺フレーム４０と絶縁材６０とは離間可能であるため、絶縁材６０は太陽電池パネル２０に追従する。そのため、絶縁材６０が太陽電池パネル２０から剥がれる（離間する）ことがない。その結果として、太陽電池モジュール１０に荷重が負荷されたとしても沿面距離を確保することが可能である。
【００３４】
なお、図６に示す、絶縁材６０と長辺フレーム４０とが離間する構造は、太陽電池パネル２０の互いに対向する第１の辺２０１と第２の辺２０２のうち、何れか１辺側においてのみでも十分に効果を奏する。
【００３５】
太陽電池モジュール１０の対向するフレーム間距離は、荷重によって変化するものではないため、太陽電池パネル２０の互いに対向する第１の辺２０１と第２の辺２０２のうち、何れか１辺側で絶縁材６０とフレーム３０とが離間可能であればよい。例えば、第１の辺２０１側において絶縁材６０とフレーム３０とを離間可能とした場合、第１の辺２０１側に対向する第２の辺２０２側においては、絶縁材６０とフレーム３０とが接着されていてもよい。この理由は以下のとおりである。
【００３６】
第２の辺２０２側において絶縁材６０とフレーム３０とが接着されていても、太陽電池パネル２０の撓みによって発生するフレーム３０から太陽電池パネル２０が離間する変位は、絶縁材６０とフレーム３０とが離間可能な第１の辺２０１側で主に生じる。
【００３７】
その結果、絶縁材６０とフレーム３０とが接着されている第２の辺２０２側では、太陽電池パネル２０の変位は小さく絶縁材６０が太陽電池パネル２０から剥離することはない。又、絶縁材６０とフレーム３０とが離間可能な第１の辺２０１側では、太陽電池パネル２０が変位してフレーム３０から離間しても、絶縁材６０は太陽電池パネル２０に追従し太陽電池パネル２０から剥離しない。
【００３８】
又、太陽電池パネル２０の対向する第１の辺２０１側と第２の辺２０２側の２辺側ともに、図６に示す離間構造としてもよい。すなわち、絶縁材６０とフレーム３０とが離間可能な第１の辺２０１側に加え、第１の辺２０１側に対向する第２の辺２０２側においても、絶縁材６０とフレーム３０とが離間可能な構造とすることができる。この場合も当然、荷重等によって太陽電池パネル２０が撓んだとしても、絶縁材６０が太陽電池パネル２０から剥離せず、沿面距離を確保できる。
【００３９】
なお、図６では、長辺フレーム４０の断面を示し、長辺フレーム４０について説明したが、この離間構造を短辺フレーム５０に適用してもよい。
【００４０】
更に、図６に示すように、接着剤７０と絶縁材６０との間に隙間が形成されて、接着剤７０と絶縁材６０とは非接触となっていることが好ましい。但し、絶縁材６０と接着剤７０とが接触していたとしても（太陽電池パネル２０の裏面に接着された絶縁材６０とフレームとが接着剤７０を介して接着されていたとしても）、太陽電池パネル２０の受光面及び側端面に接着された絶縁材６０がフレームと離間可能（非接着）となっていることで、絶縁材６０の太陽電池パネル２０からの剥離を抑制する効果を有する。
【００４１】
又、裏面フランジ４２と太陽電池パネル２０の裏面とを接着する接着箇所は、フレームの長手方向で間欠的に配置してもよいし、長手方向の全てに連続的に配置してもよい。
【００４２】
又、図５及び図６に示す太陽電池モジュール１０は、基板２１上（受光面側）に薄膜の太陽電池素子２２を形成したサブストレート型薄膜太陽電池を例にとって説明したが、カバーガラス上（非受光面側）に薄膜の太陽電池素子を形成したスーパーストレート型薄膜太陽電池にも適用可能である。又、薄膜以外の太陽用電池にも適用可能である。
【００４３】
又、太陽電池パネル２０の周端部を覆う絶縁材６０の具体例としては、表面側の部材（フレーム３０と接触する側）に絶縁性かつ可撓性を有する素材を適用し、裏面側の部材（太陽電池パネル２０に接着する側）に絶縁性かつ接着性を有する素材を適用し、この表面側の部材と裏面側の部材が積層された構造のものが好適である。
【００４４】
より具体的には、表面側の部材に、ＰＥＴ（polyethylene terephthalate）、ＰＶＦ（Polyvinyl fluoride）、ＰＰ（polypropylene）、ポリイミド樹脂、フッ素樹脂シート、エラストマー等を使用し、裏面側の部材に、アクリル系粘着材、熱可塑性樹脂（ＥＶＡやＰＶＢ）、熱硬化性樹脂、ブチル系接着材やシリコーン系接着材等の接着系樹脂が好適である。
【００４５】
但し、絶縁材６０は可撓性の素材に限定されるものではなく、例えば、ガスケット等の予めコの字に成形された樹脂を絶縁材６０として適用し、これを太陽電池パネル２０に上述の接着機能を有する部材で接着してもよい。
【００４６】
このように、第１の実施の形態に係る太陽電池モジュール１０では、太陽電池パネル２０の互いに対向する第１の辺２０１と第２の辺２０２の２辺のうちの少なくとも１辺側において、太陽電池パネル２０の受光面及び側端面に接着された絶縁材６０とフレーム３０とが離間可能である（但し、上記に加え、絶縁材６０とフレーム３０とが離間可能な１辺において、太陽電池パネル２０の裏面に接着された絶縁材６０とフレーム３０とが離間可能であってもよい）。
【００４７】
これにより、太陽電池パネル２０の表面に積雪等の荷重がかかり、太陽電池パネル２０に撓みが生じたとしても、絶縁材６０がフレーム３０に追従しないため、絶縁材６０が太陽電池パネル２０から離間することがなく、沿面距離を確保できる。
【００４８】
又、絶縁材６０とフレーム３０とが離間可能な１辺において、フレーム３０の裏面フランジと太陽電池パネル２０の裏面とが接着されているため、フレーム３０から太陽電池パネル２０が脱落することを抑制できる。
【００４９】
〈第１の実施の形態の変形例〉
第１の実施の形態の変形例では、裏面保護材にバックシートとよばれる樹脂性の保護シートを用いた太陽電池モジュールの例を示す。なお、第１の実施の形態の変形例において、既に説明した実施の形態と同一構成部についての説明は省略する場合がある。
【００５０】
図７は、第１の実施の形態の変形例に係る太陽電池モジュールを例示する部分拡大断面図であり、図６に対応する断面を示している。なお、平面図は図５と同様であるため図示を省略する。図７を参照するに、第１の実施の形態の変形例に係る太陽電池モジュールは、太陽電池パネル２０が太陽電池パネル２０Ａに置換された点が、太陽電池モジュール１０（図５及び図６参照）と相違する。
【００５１】
太陽電池パネル２０Ａでは、基板２１の裏面に裏面保護材２５が設けられている。裏面保護材２５は、バックシートとよばれる保護シートであり、基板２１の割れを防止する効果や、外部からの湿分浸入を防止する効果を有する。裏面保護材２５の材料としては、例えば、フッ素系樹脂、アルミニウム箔やポリエチレンテレフタレート樹脂（ＰＥＴ樹脂）等やこれらの積層材を用いることができる。
【００５２】
太陽電池パネル２０Ａでは、基板２１の平面形状が表面保護材２３の平面形状より小さく、封止材２４の平面形状が基板２１の平面形状より更に小さく、これらの部材は中心が略一致するように積層されている。そのため、太陽電池パネル２０Ａの側端部には段差があり、その段差を埋めるようにシール材８０が設けられており、シール材８０の側端面は傾斜面である。
【００５３】
シール材８０により、受光面側の面に太陽電池素子２２が形成された基板２１、表面保護材２３及び封止材２４の外周側が接着されている。シール材８０としては接着系樹脂を用いることができ、例えば、ブチルゴムやシリコーン系樹脂等を用いることができる。太陽電池素子２２の電極に取り付けられた電極リボン（図示せず）を、例えば、シール材８０内に通すことができる。
【００５４】
長辺フレーム４０の裏面フランジ４２と絶縁材６０との間に、緩衝材９０（例えば：発泡樹脂等）を挿入してもよい。緩衝材９０を挿入することにより、太陽電池パネル２０Ａが受光面側に押し上げられ、受光面側において絶縁材６０と上フランジ４１との間の隙間がなくなり、絶縁材６０と上フランジ４１との間からの湿分侵入を抑制する効果が得られる。
【００５５】
又、図７に示すように、裏面保護材２５を基板２１の裏面側に貼り付けた場合、裏面保護材２５の端部を接着剤７０で覆うことが好ましい。更に、接着剤７０を、裏面フランジ４２と太陽電池パネル２０Ａの裏面とを接着する接着剤と兼用することが好ましい。
【００５６】
このように、裏面保護材２５の端部を接着剤７０で覆うことで、裏面保護材２５の剥離を抑制することができる。又、接着剤７０を裏面フランジ４２と太陽電池パネル２０Ａの裏面とを接着する接着剤とで兼用することにより、接着剤の使用量を低減すると共に、製造工程を簡略化することが可能となる。その他の効果については、第１の実施の形態と同様である。
【００５７】
以上、好ましい実施の形態について詳説したが、上述した実施の形態に制限されることはなく、特許請求の範囲に記載された範囲を逸脱することなく、上述した実施の形態に種々の変形及び置換を加えることができる。
【００５８】
本国際出願は２０１４年９月１９日に出願した日本国特許出願２０１４−１９１１５８号に基づく優先権を主張するものであり、日本国特許出願２０１４−１９１１５８号の全内容を本国際出願に援用する。
【符号の説明】
【００５９】
１０  太陽電池モジュール
２０、２０Ａ  太陽電池パネル
２１  基板
２２  太陽電池素子
２３  表面保護材
２４  封止材
２５  裏面保護材
３０  フレーム
４０  長辺フレーム
４０ｘ  嵌合溝
４１  上フランジ
４２  裏面フランジ
４３  側壁部
４４  底辺フランジ
５０  短辺フレーム
６０  絶縁材
７０  接着剤
８０  シール材
９０  緩衝材
２０１、２０３  第１の辺
２０２、２０４  第２の辺
【図１】
2016043137.tif 000003
【図２】
2016043137.tif 000004
【図３】
2016043137.tif 000005
【図４】
2016043137.tif 000006
【図５】
2016043137.tif 000007
【図６】
2016043137.tif 000008
【図７】
2016043137.tif 000009
【国際調査報告】
2016043137.tif 000010
2016043137.tif 000011
2016043137.tif 000012
2016043137.tif 000013